(57)【要約】【課題】セキュリティを確保しながらも外部の端末からの要求により監視装置で収集された監視データの送信先の切り替えを行うこと。【解決手段】遠方監視装置２１において、監視部は、サーバ１１，１２のいずれかからのデータ収集の要求に基づき監視対象機器３１のセンサデータを監視データとして収集する。切り替え処理部は、サーバ１１，１２のいずれかからのデータ送付先の切り替え要求に基づき監視対象機器３１の監視データの送信先をサーバ１１，１２のいずれかに切り替える。応答処理部は、移動体通信網１０を介してサーバ１１（またはサーバ１２）からアクセス要求を受けるとサーバ１１（またはサーバ１２）のＩＰアドレスと記憶部６に予め登録されたＩＰアドレスとの照合に基づきサーバ１１（またはサーバ１２）に対する応答を生成する。【選択図】図１
2018085615.tif 000002
【特許請求の範囲】
【請求項１】
監視対象機器の監視データを外部の端末に送信する監視装置であって、
外部の端末からのデータ送付先の切り替え要求に基づき前記監視対象機器の監視データの送信先を当該外部の端末に切り替える切り替え処理部を備えた監視装置。
【請求項２】
前記外部の端末からアクセス要求を受けると当該端末のＩＰアドレスと前記監視装置に予め登録されたＩＰアドレスとの照合に基づき当該外部の端末に対する応答を生成する応答処理部をさらに備えた請求項１に記載の監視装置。
【請求項３】
前記応答処理部は、前記アクセス要求を受けると前記外部の端末のＩＰアドレスが前記監視装置に予め登録された当該外部の端末に対応したＩＰアドレスである場合に当該外部の端末に対する肯定応答を生成する請求項２に記載の監視装置。
【請求項４】
前記応答処理部は、前記アクセス要求を受けると前記外部の端末のＩＰアドレスが前記監視装置に予め登録された当該外部の端末に対応したＩＰアドレスでない場合に当該外部の端末に対する否定応答を生成する請求項２または３に記載の監視装置。
【発明の詳細な説明】
【技術分野】
【０００１】
本発明は、監視装置で収集した監視対象機器の監視情報の送信先を切り替えが可能なデータ送受信システムに関する。
【背景技術】
【０００２】
一般的なデータ送受信システムは、親局である監視サーバと子局である複数の遠方監視装置とが移動体回線網等のネットワークで接続されている。遠方監視装置は監視対象機器と対に接続されている。そして、定期的または状態変化発生時の監視サーバと遠方監視装置との間でのデータ送受信により監視対象機器の状態を監視する（例えば、特許文献１）。
【０００３】
特許文献１等の遠方監視システムの遠方監視装置は監視情報を特定の監視サーバのみにしか送信できないが、予め複数の監視サーバのＩＰアドレスを保持すれば、特許文献２等の遠方監視システムのように他の監視サーバに対しても監視情報を送信できる。
【先行技術文献】
【特許文献】
【０００４】
【特許文献１】特開２００５−７３１３１号公報
【特許文献２】特開２００５−２９２９２８号公報
【発明の概要】
【発明が解決しようとする課題】
【０００５】
特許文献２の遠方監視システムは、予め設定された時刻に監視データを他の監視サーバに切り替える方式を採っているが、監視サーバからの指示によって監視データの送付先を切り替えることができない。また、監視サーバからのデータ転送先の変更を可能とするだけでは、例えば、不特定の第三者によりデータの転送先が変更される等のセキュリティの問題があるので、特定のＩＰアドレスのみにデータの転送先を設定できるシステムが要求される。
【０００６】
本発明は、上記の事情に鑑み、セキュリティを確保しながらも外部の端末からの要求により監視装置で収集された監視データの送信先の切り替えを行えることを課題とする。
【課題を解決するための手段】
【０００７】
そこで、本発明の一態様は、監視対象機器の監視データを外部の端末に送信する監視装置であって、外部の端末からのデータ送付先の切り替え要求に基づき前記監視対象機器の監視データの送信先を当該外部の端末に切り替える切り替え処理部を備える。
【０００８】
前記監視装置の一態様は、前記外部の端末からアクセス要求を受けると当該端末のＩＰアドレスと前記監視装置に予め登録されたＩＰアドレスとの照合に基づき当該外部の端末に対する応答を生成する応答処理部をさらに備える。
【０００９】
前記応答処理部の一態様は、前記アクセス要求を受けると前記外部の端末のＩＰアドレスが前記監視装置に予め登録された当該外部の端末に対応したＩＰアドレスである場合に当該外部の端末に対する肯定応答を生成する。
【００１０】
前記応答処理部の一態様は、前記アクセス要求を受けると前記外部の端末のＩＰアドレスが前記監視装置に予め登録された当該外部の端末に対応したＩＰアドレスでない場合に当該外部の端末に対する否定応答を生成する。
【発明の効果】
【００１１】
以上の発明によれば、セキュリティを確保しながらも外部の端末からの要求により監視装置で収集された監視データの送信先の切り替えを行える。
【図面の簡単な説明】
【００１２】
【図１】（ａ）は本発明の実施形態における遠方監視システムの構成概念図、（ｂ）は当該実施形態における遠方監視装置のブロック構成図。
【図２】データを送受信する際の動作シーケンス。
【図３】サーバのＩＰアドレスを切り替える際の動作例を説明した構成概念図。
【図４】サーバのＩＰアドレスを切り替える際の動作シーケンス。
【図５】第三者装置がアクセスした際の動作例を説明した構成概念図。
【図６】第三者装置がアクセスした際の動作シーケンス。
【図７】サーバが監視データの取得を要求した際の動作シーケンス。
【発明を実施するための形態】
【００１３】
以下に図面を参照しながら本発明の実施形態について説明する。
【００１４】
図１（ａ）に例示された本発明の一実施形態である遠方監視システム１は、サーバ１１，１２、遠方監視装置２１，２２，…、監視対象機器３１，３２，…を有する。
【００１５】
サーバ（外部の端末）１１，サーバ（他の外部の端末）１２は、移動体通信網１０を介して遠方監視装置２１とデータ通信可能となっている。サーバ１１，１２は、例えば、遠方監視装置２１を運用管理する中央監視室に配置される。
【００１６】
遠方監視装置２１，２２，…は本発明の監視装置の一態様である。遠方監視装置２１，２２，…は、図３に例示したように、監視対象機器３１，３２，…と一対一に有線通信回線または無線通信回線を介して接続される。
【００１７】
監視対象機器３１，３２，…は、中央監視室から遠隔の所定の観測場所に設置され、この観測場所の事象（例えば、水位、水温、気温、湿度、震度等）を検出する。監視対象機器３１，３２，…で検出された監視対象のセンサデータは、監視データとして遠方監視装置２１，２２，…に収集された後、移動体通信網１０を介してサーバ１１，１２に送信される。
【００１８】
以下に遠方監視装置２１，２２，…の基本的な構成例について説明する。
【００１９】
遠方監視装置２１，２２，…は、図１（ｂ）に示されたように、中央演算部４、通信部５、記憶部６を備える。
【００２０】
中央演算部４は以下の監視部、切り替え処理部、応答処理部として機能する。
【００２１】
監視部は、サーバ１１，１２のいずれかからのデータ収集の要求に基づき監視対象機器３１，３２，…のセンサデータを監視データとして収集する。この収集された監視データは通信部５から移動体通信網１０を介してサーバ１１，１２に送信される。
【００２２】
切り替え処理部は、外部の端末（例えば、サーバ１１，１２）のデータ送付先の切り替え要求に基づき監視対象機器３１の監視データの送信先をサーバ１１，１２のいずれかに切り替える。
【００２３】
応答処理部は、移動体通信網１０を介して外部の端末からアクセス要求を受けると当該端末のＩＰアドレスと記憶部６に予め保存（登録）されたＩＰアドレスとの照合に基づき当該外部の端末に対する応答を作成する。前記応答としては、肯定応答（ＡＣＫ）、否定応答（ＮＡＣＫ）が生成される。
【００２４】
肯定応答（ＡＣＫ）は、前記外部の端末のＩＰアドレスが前記予め登録されたＩＰアドレスである場合に生成される。一方、否定応答（ＮＡＣＫ）は、前記外部の端末のＩＰアドレスが前記予め登録されたＩＰアドレスでない場合に生成される。肯定応答（ＡＣＫ）及び否定応答（ＮＡＣＫ）は、通信部５から移動体通信網１０を介して前記外部の端末に送信される。
【００２５】
通信部５は、移動体通信網１０を介してサーバ１１，１２またはその他の外部の端末（例えば、図示省略のメンテナンス用端末）との間でデータの送受信を行う。通信部５には、移動体通信網１０に対応した周知の通信モジュールが適用される。
【００２６】
記憶部６は、遠方監視システム１においてアクセスが許可された端末のＩＰアドレスとしてサーバ１１のＩＰアドレスＡ、サーバ１２のＩＰアドレスＢを保存する不揮発性のメモリである。そして、遠方監視装置２１は、サーバ１１からアクセス要求を受けると、記憶部６に保存されたサーバ１１のＩＰアドレス「ＩＰアドレスＡ」の照合に基づき応答処理を行う。
【００２７】
図１，２を参照しながら遠方監視システム１の通常の動作例について説明する。
【００２８】
遠方監視装置２１の記憶部６には、サーバ１１のＩＰアドレスＡ、サーバ１２のＩＰアドレスＢが予め登録されている。以下の事例では、遠方監視装置２１のデータ送信先のＩＰアドレスとしてサーバ１１のＩＰアドレスＡが選択され、遠方監視装置２１とサーバ１１とのデータ送受信が行われる。
【００２９】
先ず、遠方監視装置２１（ＩＰアドレスＳ（固定））は、ＴＣＰ／ＵＤＰポートＰ１（任意）を介して監視対象機器３１のデータ（監視データ）をサーバ１１に送信する。サーバ１１は、ＴＣＰ／ＵＤＰポートＰ２（固定）を介して前記データを受領すると、肯定応答（ＡＣＫ）をＴＣＰ／ＵＤＰポートＰ２を介して遠方監視装置２１に返信する。遠方監視装置２１はＴＣＰ／ＵＤＰポートＰ１を介して肯定応答（ＡＣＫ）を受領する。尚、以上と同様の動作シーケンスにより遠方監視装置２２，…とサーバ１１との間でデータ送受信が行われる。
【００３０】
図３，４を参照しながらサーバ１１，１２のＩＰアドレス切り替え時の遠方監視システム１の動作例について説明する。以下の事例では、通常はサーバ１１と遠方監視装置２１，２２，…とがデータ送受信を行い、サーバ１１に不具合が発生した場合にサーバ１２と遠方監視装置２１，２２，…との間でデータ送受信が行われる。
【００３１】
サーバ１１に不具合が発生すると、サーバ１２（ＩＰアドレスＢ）は、ＴＣＰ／ＵＤＰポートＰ３（任意）を介してデータ送信先ＩＰアドレスの切り替え要求を遠方監視装置２１（ＩＰアドレスＳ）に送信する。遠方監視装置２１は、ＴＣＰ／ＵＤＰポートＰ４（固定）を介して当該切り替え要求を受信すると、サーバ１２のＩＰアドレスと記憶部６に登録されたサーバ１２のＩＰアドレスＢとの照合を行う。サーバ１２のＩＰアドレスが前記登録されたサーバ１２のＩＰアドレスＢである場合、遠方監視装置２１は、ＴＣＰ／ＵＤＰポートＰ４を介してサーバ１２に対して肯定応答（ＡＣＫ）を送信する。そして、サーバ１２（ＩＰアドレスＢ）はＴＣＰ／ＵＤＰポートＰ３（任意）を通じて肯定応答（ＡＣＫ）を受信する。このデータ送信先の切り替えが成功すると、遠方監視装置２１の記憶部６には、データ送信先のＩＰアドレスが「ＩＰアドレスＡ」から「ＩＰアドレスＢ」に書き換えられる。以上と同様の動作シーケンスにより遠方監視装置２２，…のデータの送信先の切り替えが行われる。
【００３２】
また、遠方監視システム１は遠方監視装置２１，２２，…に登録されていないＩＰアドレスの端末からのアクセス要求を拒否する。
【００３３】
図５，６を参照しながら第三者装置３が遠方監視装置にアクセスした際の遠方監視システム１の動作例について説明する。
【００３４】
第三者装置３（ＩＰアドレスＣ）は、遠方監視装置２１に対して送信先のＩＰアドレスについてＩＰアドレスＣへの切り替えを要求する。遠方監視装置２１は、ＴＣＰ／ＵＤＰポートＰ４（固定）を介して前記切り替え要求を受けると、ＩＰアドレスＣと記憶部６に登録されているＩＰアドレスとの照合を行う。遠方監視装置２１の記憶部６には第三者装置３のＩＰアドレスＣが登録されていないので当該変更要求を反映しない。そして、遠方監視装置２１はＴＣＰ／ＵＤＰポートＰ４（固定）を介して否定応答（ＮＡＣＫ）を第三者装置３に返信する。以上のように監視対象機器３１の監視データの第三者装置３への送信が阻止される。そして、上記と同様の動作シーケンスにより遠方監視装置２２，…も第三者装置３からデータ送信先の切り替えを拒否する。以上のように、遠方監視装置２１の監視データは、遠方監視装置２１の記憶部６に登録されたＩＰアドレスのサーバのみ送信されるので、第三者の端末へのデータの流出が回避される。
【００３５】
以上説明した実施形態は、サーバ１１，１２からの遠方監視装置２１，２２，…のデータ送信先の切り替えを行うものであるが、その他の外部の端末からもデータ送信先の切り替えが行えるようにしてもよい。例えば、前記中央監視室以外の場所に配置された図示省略のメンテナンス用端末からの送信先ＩＰアドレスについて、例えば、ＩＰアドレスＡからＩＰアドレスＢへの切り替え、または、ＩＰアドレスＢからＩＰアドレスＡへの切り替えの要求が挙げられる。本態様の場合、メンテナンス用端末からＩＰアドレスの切り替え要求が例えば遠方監視装置２１（ＩＰアドレスＳ）に送信される。前記切り替え要求には、切り替え先のＩＰアドレスとしてサーバ１１のＩＰアドレスＡ、サーバ１２のＩＰアドレスＢのいずれかが添付される。
【００３６】
尚、遠方監視装置２１は、サーバ１１，１２からの要求により監視対象機器３１の監視データを送信する際、当該要求を受けたポートと異なるポートから当該監視データをサーバ１１，１２に送信する。
【００３７】
以上の事例は、動作説明の便宜上、「第三者装置３」が「否定応答（ＮＡＣＫ）」を受けるものとなっているが、「第三者装置３」「メンテナンス用端末」のいずれもＩＰアドレス要求が正規な要求であれば「肯定応答（ＡＣＫ）」を受ける。
【００３８】
正規な要求とは、サーバ１１，１２のいずれかに切り替える要求であり、具体的には要求データに付された切り替え先ＩＰアドレスがサーバ１１，１２のいずれかであれば、否定応答（ＮＡＣＫ）ではなく肯定応答（ＡＣＫ）となる。
【００３９】
また、ＩＰアドレスの切り替え要求は独自のインターフェースフォーマットなので、サーバ１１，１２に「第三者装置」のＩＰアドレスが登録されていない当該「第三者装置」は当該フォーマットを知らない限りＩＰアドレスの切り替え要求を行うことができない。
【００４０】
図７の事例を参照しながらサーバ１１からの要求により遠方監視装置２１が監視データをサーバ１１に送信する際の動作例について説明する。
【００４１】
サーバ１１（ＩＰアドレスＡ）は、ＴＣＰ／ＵＤＰポートＰ（任意）を介して監視データの送信要求を遠方監視装置２１（ＩＰアドレスＳ）に送信する。遠方監視装置２１は、ＴＣＰ／ＵＤＰポートＰ４（固定）を介して前記送信要求を受信すると、サーバ１２のＩＰアドレスと記憶部６に登録されたＩＰアドレスとの照合を行う。サーバ１１のＩＰアドレスが前記登録されたサーバ１１のＩＰアドレスＡである場合、遠方監視装置２１は、ＴＣＰ／ＵＤＰポートＰ４以外のポートを介してサーバ１２に対して監視データを送信する。そして、サーバ１２（ＩＰアドレスＢ）はＴＣＰ／ＵＤＰポートＰ（任意）以外のポート（サーバ１１に登録されているポート）を通じて肯定応答（ＡＣＫ）を受信する。
【００４２】
以上のように本実施形態の遠方監視システム１によれば遠方監視装置２１，２２，…で収集した監視対象機器３１，３２，…の監視データの送信先を切り替えることができる。特に、遠方監視装置２１，２２，…にて予め登録されたサーバ１１，１２からの指示により監視対象機器３１，３２，…の情報を所定のサーバ１１，１２に送信することができる。
【００４３】
また、遠方監視装置２１，２２，…はこの遠方監視装置２１，２２，…に登録されたＩＰアドレスに対応した所定の送信先（サーバ１１，１２）のみに監視データが送信される。したがって、遠方監視システム１の外部の第三者装置３からデータ送信先の切り替え要求があっても、当該切り替え要求が否定される。これにより、遠方監視システム１からの監視データの情報漏洩が防止されるので、セキュリティが確保される。
【符号の説明】
【００４４】
１…遠方監視システム
１１…サーバ（外部の端末）、１２…サーバ（他の外部の端末）
２１，２２…遠方監視装置（監視装置）
３…第三者装置
４…中央演算部
５…通信部
６…記憶部
【図１】
2018085615.tif 000003
【図２】
2018085615.tif 000004
【図３】
2018085615.tif 000005
【図４】
2018085615.tif 000006
【図５】
2018085615.tif 000007
【図６】
2018085615.tif 000008
【図７】
2018085615.tif 000009